(57)【要約】【課題】  貴重品保管装置自体が盗難された場合に、その内部に収納された貴重品の盗用をより確実に防止すること。【解決手段】  金庫制御装置１５０は、金庫１０の施錠状態を設定した後に、ＩＣタグ読取装置１００から入力されるＩＣタグのＩＤコードをもとに金融物品管理情報１５２ａを更新する。また、金庫制御装置１５０は、ＧＰＳ１３０から入力された現在位置情報をもとに、金庫１０が所定の閾値以上移動されたと判断した場合には、金融物品管理情報１５２ａとともに金庫１０が移動された旨の移動信号を金庫管理サーバ３０に送信し、金庫１０の異常を通知する。これに応じて、金庫管理サーバ３０の制御装置は、送信された金融物品管理情報を構成するＩＤコードをもとに金融システムを特定し、特定した金融システムに該当するＩＤコードを無効化依頼信号とともに送信して異常を報知する。【選択図】  図２
2005146646.tif 000002
【特許請求の範囲】
【請求項１】
所定の通信回線を介して保管装置管理サーバと通信可能に接続された貴重品保管装置であって、
貴重品保管装置内に存在し得るＩＣタグと通信を行い、当該ＩＣタグに記憶されたＩＤコードを読み取るＩＣタグ読取装置と、
前記ＩＣタグ読取装置によって読み取られたＩＤコードを前記保管装置管理サーバに送信するコード送信手段と、
を備えたことを特徴とする貴重品保管装置。
【請求項２】
請求項１に記載の貴重品保管装置であって、
所定の無線信号を受信して現在位置を検出する処理を定期的に行う位置検出装置と、
前記位置検出装置により検出された現在位置を前記保管装置管理サーバに送信する現在位置送信手段と、
を備えたことを特徴とする貴重品保管装置。
【請求項３】
所定の通信回線を介して保管装置管理サーバと通信可能に接続された貴重品保管装置であって、
貴重品保管装置内に存在し得るＩＣタグと通信を行い、当該ＩＣタグに記憶されたＩＤコードを読み取るＩＣタグ読取装置と、
所定の無線信号を受信して現在位置を検出する処理を定期的に行う位置検出装置と、
前記位置検出装置によって検出された現在位置が前回検出された位置から所定距離以上変化した場合に、前記ＩＣタグ読取装置によって読み取られたＩＤコードとともに、貴重品保管装置が移動された旨の移動信号を前記保管装置管理サーバに通知する通知手段と、
を備えたことを特徴とする貴重品保管装置。
【請求項４】
無停電電源装置を更に備えたことを特徴とする請求項１〜３の何れか一項に記載の貴重品保管装置。
【請求項５】
請求項１〜４の何れか一項に記載の貴重品保管装置と通信可能に接続されているとともに、所定の金融機関システムと通信可能に接続された保管装置管理サーバであって、
前記ＩＤコードには金融機関コードが含まれ、
前記貴重品保管装置からＩＤコードを受信するコード受信手段と、
前記受信したＩＤコードに含まれる金融機関コードが前記金融機関システムのコードであるか否かを判定する判定手段と、
前記金融機関システムのコードであると判定され、且つ無効化依頼信号を送信するための所定条件が満たされた場合に、前記受信したＩＤコードと当該ＩＤコードの無効化を依頼する旨の信号とを前記金融機関システムに送信する無効化依頼信号送信手段と、
を備えたことを特徴とする保管装置管理サーバ。
【発明の詳細な説明】
【技術分野】
【０００１】
本発明は、貴重品保管装置及び保管装置管理サーバに関する。
【背景技術】
【０００２】
金庫等に代表される貴重品保管装置は、堅牢な構造とその自重とによって盗難防止を保証しているのが一般的であるが、盗難防止及び盗難に対する防御措置として様々なものが考案されている。例えば、異常状態が発生したとき等に、金庫内に設置された塗料噴出手段が作動し、金庫内に塗料が噴出されるように構成されたものが知られている（特許文献１参照。）。
【特許文献１】特開平９−３１０５５７号公報
【発明の開示】
【発明が解決しようとする課題】
【０００３】
しかし、貴重品保管装置の内部に収納された貴重品に塗料が塗布されたとしても、その貴重品の性質によっては、利用（すなわち盗用）が可能である場合がある。例えばクレジットカードなどである。そこで本発明は、貴重品保管装置自体が盗難された場合に、その内部に収納された貴重品の盗用をより確実に防止することを目的とする。
【課題を解決するための手段】
【０００４】
以上の課題を解決するため、第１の発明は、
所定の通信回線を介して保管装置管理サーバと通信可能に接続された貴重品保管装置であって、
貴重品保管装置内に存在し得るＩＣタグと通信を行い、当該ＩＣタグに記憶されたＩＤコードを読み取るＩＣタグ読取装置（例えば、図２に示すＩＣタグ読取装置１００）と、
前記ＩＣタグ読取装置によって読み取られたＩＤコードを前記保管装置管理サーバに送信するコード送信手段（例えば、図２に示す金庫制御装置１５０，通信装置１６０）と、
を備えたことを特徴としている。
【０００５】
ここで、貴重品保管装置とは、例えば、紙幣、硬貨、有価証券（例えば、小切手、手形、株券、債券、商品券、郵便為替証券等）、預金通帳、旅券等の証券や、クレジットカード、重要書類等の貴重品（以下、「金融物品」という。）を収納し、盗難等を防ぐための装置であり、金庫が代表例であるが、貸ロッカーやＡＴＭ（現金自動預入れ支払い機）等であってもよい。
【０００６】
この第１の発明によれば、ＩＣタグ読取装置によって読み取られた貴重品保管装置内のＩＣタグのＩＤコードを、所定の通信回線を介して保管装置管理サーバに送信することができる。これにより、貴重品保管装置内のＩＣタグのＩＤコードを、保管装置管理サーバで管理することができる。したがって、貴重品保管装置内にＩＣタグが貼付又は含有等された金融物品を収納することにより、貴重品保管装置の盗難といった異常事態が発生した場合に、保管装置管理サーバで管理されるＩＣタグのＩＤコードにより、これらの不正使用を防止することが可能となる。
【０００７】
第２の発明は、第１の発明の貴重品保管装置であって、
請求項１に記載の貴重品保管装置であって、
所定の無線信号を受信して現在位置を検出する処理を定期的に行う位置検出装置と、
前記位置検出装置により検出された現在位置を前記保管装置管理サーバに送信する現在位置送信手段と、
を備えたことを特徴としている。
【０００８】
この第２の発明によれば、所定の無線信号を受信して定期的に検出した貴重品管理装置の現在位置を、保管装置管理サーバに送信することができる。したがって、保管装置管理サーバにおいて、貴重品保管装置の移動を監視することができ、その移動距離により盗難といった異常事態を検知することが可能となり、保管装置管理サーバに送信された貴重品保管装置内のＩＣタグのＩＤコードにより、これらの不正使用を防止することが可能となる。
【０００９】
第３の発明は、
所定の通信回線を介して保管装置管理サーバと通信可能に接続された貴重品保管装置であって、
貴重品保管装置内に存在し得るＩＣタグと通信を行い、当該ＩＣタグに記憶されたＩＤコードを読み取るＩＣタグ読取装置（例えば、図２に示すＩＣタグ読取装置１００）と、
所定の無線信号を受信して現在位置を検出する処理を定期的に行う位置検出装置（例えば、図２に示すＧＰＳ１３０）と、
前記位置検出装置によって検出された現在位置が前回検出された位置から所定距離以上変化した場合に、前記ＩＣタグ読取装置によって読み取られたＩＤコードとともに、貴重品保管装置が移動された旨の移動信号を前記保管装置管理サーバに通知する通知手段（例えば、図２に示す金庫制御装置１５０，通信装置１６０）と、
を備えたことを特徴としている。
【００１０】
この第３の発明によれば、所定の無線信号を受信して貴重品管理装置の現在位置を定期的に検出し、貴重品管理装置の現在位置が前回検出された位置から所定距離以上変化した場合に、ＩＣタグ読取装置によって読み取られた貴重品保存装置内のＩＣタグのＩＤコードとともに、貴重品保管装置が移動された旨の移動信号を保管装置管理サーバに通知することができる。したがって、貴重品保管装置の現在位置の移動距離により盗難といった異常事態を検知し、保管装置管理サーバに送信された貴重品保管装置内のＩＣタグのＩＤコードにより、これらの不正使用を防止することが可能となる。
【００１１】
第４の発明は、第１〜第３の何れかの発明の貴重品保管装置であって、
無停電電源装置を更に備えたことを特徴としている。
【００１２】
この第４の発明によれば、貴重品保管装置は、貴重品保管装置が盗難される等して移動された場合であっても、無停電電源装置により、保管装置管理サーバに対して、ＩＤコードや貴重品保管装置が移動された旨の移動信号を確実に送信することができる。
【００１３】
第５の発明は、第１〜第４の何れかの発明の貴重品保管装置と通信可能に接続されているとともに、所定の金融機関システムと通信可能に接続された保管装置管理サーバであって、
前記ＩＤコードには金融機関コードが含まれ、
前記貴重品保管装置からＩＤコードを受信するコード受信手段（例えば、図５に示す通信装置３３）と、
前記受信したＩＤコードに含まれる金融機関コードが前記金融機関システムのコードであるか否かを判定する判定手段（例えば、図５に示す制御装置３１）と、
前記金融機関システムのコードであると判定され、且つ無効化依頼信号を送信するための所定条件が満たされた場合に、前記受信したＩＤコードと当該ＩＤコードの無効化を依頼する旨の信号とを前記金融機関システムに送信する無効化依頼信号送信手段（例えば、図５に示す制御装置３１，通信装置３３）と、
を備えたことを特徴としている。
【００１４】
この第５の発明によれば、貴重品保管装置から送信されたＩＤコードに含まれる金融機関コードが所定の金融機関システムのコードである場合であって、無効化依頼信号を送信するための所定条件が満たされた場合に、当該所定の金融機関システムに、ＩＤコードの無効化を依頼する旨の信号を送信することができる。したがって、無効化されたＩＤコードのＩＣタグが貼付又は含有等された金融物品の不正使用を防止することが可能となる。
【発明の効果】
【００１５】
本発明によれば、ＩＣタグ読取装置によって読み取られた貴重品保管装置内のＩＣタグのＩＤコードを、所定の通信回線を介して保管装置管理サーバに送信することができる。これにより、貴重品保管装置内のＩＣタグのＩＤコードを、保管装置管理サーバで管理することができる。したがって、貴重品保管装置内にＩＣタグが貼付又は含有等された金融物品を収納することにより、貴重品保管装置の盗難といった異常事態が発生した場合に、保管装置管理サーバで管理されるＩＣタグのＩＤコードにより、これらの不正使用を防止することが可能となる。
【００１６】
そして、所定の無線信号を受信して定期的に検出した貴重品管理装置の現在位置を、保管装置管理サーバに送信することができる。したがって、保管装置管理サーバにおいて、貴重品保管装置の移動を監視することができ、その移動距離により盗難といった異常事態を検知することが可能となり、保管装置管理サーバに送信された貴重品保管装置内のＩＣタグのＩＤコードにより、これらの不正使用を防止することが可能となる。
【００１７】
また、所定の無線信号を受信して貴重品管理装置の現在位置を定期的に検出し、貴重品管理装置の現在位置が前回検出された位置から所定距離以上変化した場合に、ＩＣタグ読取装置によって読み取られた貴重品保存装置内のＩＣタグのＩＤコードとともに、貴重品保管装置が移動された旨の移動信号を保管装置管理サーバに通知することができる。したがって、貴重品保管装置の現在位置の移動距離により盗難といった異常事態を検知し、保管装置管理サーバに送信された貴重品保管装置内のＩＣタグのＩＤコードにより、これらの不正使用を防止することが可能となる。
【００１８】
さらに、貴重品保管装置は、貴重品保管装置が盗難される等して移動された場合であっても、無停電電源装置により、保管装置管理サーバに対して、ＩＤコードや貴重品保管装置が移動された旨の移動信号を確実に送信することができる。
【００１９】
また、貴重品保管装置から送信されたＩＤコードに含まれる金融機関コードが所定の金融機関システムのコードである場合であって、無効化依頼信号を送信するための所定条件が満たされた場合に、当該所定の金融機関システムに、ＩＤコードの無効化を依頼する旨の信号を送信することができる。したがって、無効化されたＩＤコードのＩＣタグが貼付又は含有等された金融物品の不正使用を防止することが可能となる。
【発明を実施するための最良の形態】
【００２０】
以下、図面を参照して、本発明の実施形態について、詳細に説明する。尚、以下では、本発明の貴重品保管装置を、金庫に適用した場合を例にとって説明する。
【００２１】
［概観］
図１は、金庫１０の概観例を示す斜視図である。金庫１０は、その前面が開口した箱状の本体１２と、本体１２の前面に設けられた開閉扉１４とを備えており、この開閉扉１４により、前記本体１２の開口部が開閉される。また、金庫１０は、電源と接続するための電源コネクタ（図示略）を有し、電源から供給される電力によって動作する。
【００２２】
本実施形態において、本体１２の内部には、それぞれ固有に割り当てられたＩＤコードを記憶したＩＣタグが貼付又は含有された金融物品が収納され、このＩＤコードにより、金庫１０内の金融物品が管理される。
【００２３】
一方、開閉扉１４の前面には、当該開閉扉１４を開閉するためのハンドル１６が設けられており、開閉扉１４が閉じられた際に、図示しない電子錠によりハンドル１６がロックされて金庫１０が施錠されるようになっている。
【００２４】
さらに、開閉扉１４の前面には、本人認証機能として、金庫１０の所有者を指の指紋により特定する指紋認証装置１８、及び眼の虹彩により特定する虹彩認証装置１９が設けられており、これらにより指紋及び虹彩が認証・照合された場合に、前述の電子錠によりハンドル１６のロックが解除されて金庫１０が解錠される。
【００２５】
［機能構成］
図２は、金庫１０の主要機能ブロックの構成例を示す図である。図２において、金庫１０は、ＩＣタグ読取装置１００と、施錠／解錠装置１１０と、認証装置１２０と、ＧＰＳ１３０と、通信装置１６０と、金庫制御装置１５０と、ＵＰＳ１４０とを備えて構成されている。
【００２６】
また、図２において、金庫１０の内部に収納される金融物品の例として、札７０−１、小切手７０−２、株券７０−３、及びクレジットカード７０−４を示しており、各金融物品には、それぞれＩＣタグ９０（９０−１〜４）が貼付又は含有されている。このＩＣタグ９０は、例えばミューチップ等の公知のＩＣタグであって、メモリやアンテナ、電源回路、制御回路等で構成され、ＩＣタグ読取装置１００との間で電磁誘導による無線通信を行い、メモリに記憶されたＩＤコードをＩＣタグ読取装置１００に送信する。
【００２７】
ＩＤコードは、金融物品を特定するための情報であり、金融機関コードとしての、金融システム５０の識別コード（以下、「金融システムコード」という。）と、金融物品の識別コード（以下、「金融物品コード」という。）とが組み合わされた情報である。図３に、ＩＤコードの一例を示す。図３において、ＩＤコードとして"Ａ００５＿１２５０"が示されており、アンダーバー"＿"の前部分"Ａ００５"が金融システムコードを、後部分"１２５０"が金融物品コードを、それぞれ示している。ここで、金融システム５０の識別コードとは、該当するＩＣタグ９０が貼付又は含有された金融物品を取り扱う金融システム５０を特定するための情報であり、詳細は後述する。また、金融物品コードは、その種別等をもとに設定される情報である。このＩＤコードにより金融物品がユニークに特定される。
【００２８】
ＩＣタグ読取装置１００は、アンテナや制御回路等により構成され、金庫制御装置１５０の制御により、金庫１０の内部に収納される金融物品に貼付又は含有されたＩＣタグ９０との間で無線通信を行って、ＩＣタグ９０から送信されたＩＤコードを金庫制御装置１５０に出力する。例えば、金庫１０の内部に、図２に示す札７０−１、小切手７０−２、株券７０−３、及びクレジットカード７０−４が収納されている場合には、ＩＣタグ読取装置１００は、これらに貼付又は含有されたＩＣタグ９０（９０−１〜４）とそれぞれ無線通信を行って、受信したＩＤコードを金庫制御装置１５０に出力する。
【００２９】
施錠／解錠装置１１０は、例えば、電磁ロック方式の電子錠等により構成され、電子錠の施錠／解錠動作を行う。具体的には、施錠／解錠装置１１０は、金庫制御装置１５０から施錠制御信号が入力された場合に電子錠の施錠動作を行い、解錠制御信号が入力された場合には、電子錠の解錠動作を行う。
【００３０】
認証装置１２０は、金庫１０の所有者を識別するための装置であり、図１に示す指紋認証装置１８及び虹彩認証装置１９に相当するものである。この認証装置１２０は、認証情報として、金庫１０の所有者の指紋の画像データ及び虹彩の画像データが記憶されたＲＯＭ１２２を備える。
指紋認証装置１８は、例えば、光学式の指紋センサ等で構成され、取得した指紋画像と、ＲＯＭ１２２内に記憶されている指紋の画像データとを比較して、本人認証を行う。また、虹彩認証装置１９は、例えば、光学レンズやＣＣＤ等の撮像素子等で構成される虹彩センサ等を備え、取得した虹彩画像と、ＲＯＭ１２２内に記憶されている虹彩の画像データとを比較して、本人認証を行う。尚、指紋認証装置１８及び虹彩認証装置１９による本人認証は、公知の技術を用いることとし、ここでの説明は省略する。
認証装置１２０は、指紋及び虹彩が認証・照合されて、金庫１０の所有者本人を認証した場合に、認証通知信号を金庫制御装置１５０に出力する。
【００３１】
ＧＰＳ（Global Positioning Systems）１３０は、ＧＰＳ衛星からの電波を受信するＧＰＳアンテナ等を備えて構成され、金庫制御装置１５０の制御により、ＧＰＳアンテナで受信した電波から金庫１０の現在位置情報を抽出して、金庫制御装置１５０に出力する。
【００３２】
ＵＰＳ（Uninterruptible Power Supply：無停電電源装置）１４０は、金庫１０の電源装置である。ＵＰＳ１４０は、外部電源から入力される交流電圧の電圧レベルを監視し、所定レベルより低くなった場合に、内蔵バッテリ（図示略）の電源を金庫１０に供給する。また、外部からの電源入力が遮断された場合に、一定時間金庫１０に電力を供給するためのバッテリ（コンデンサ）を備える。
【００３３】
金庫制御装置１５０は、金庫１０を構成する各機能部への指示やデータの転送等を行って金庫１０を統括的に制御する。具体的には、金庫制御装置１５０は、金庫１０の内部に収納されている金融物品を管理するための金融物品管理処理や、金庫１０の移動を監視するための現在位置監視処理、認証装置１２０から入力される認証通知信号に応じて施錠／解錠装置１１０に解錠制御信号を出力し、金庫１０の解錠状態を設定する処理、金庫１０の開閉扉１４（図１）に設けられ、開閉扉１４の閉動作を検知するセンサ（図示略）から入力される閉動作検知信号に応じて施錠／解錠装置１１０に施錠制御信号を出力し、金庫１０の施錠状態を設定する処理等を実行する。
【００３４】
また、金庫制御装置１５０は、フラッシュメモリ１５２を備えており、このフラッシュメモリ１５２には、金融物品管理情報１５２ａと、金庫位置情報１５２ｂとが格納される。
【００３５】
図４は、金融物品管理情報１５２ａの一例を示す図である。金融物品管理情報１５２ａには、金庫１０の内部に収納されている金融物品に貼付又は含有されたＩＣタグのＩＤコードが格納される。金庫制御装置１５０は、例えば、施錠／解錠装置１１０の動作を制御して金庫１０の施錠状態を設定する毎に、ＩＣタグ読取装置１００の動作を制御して金庫１０内のＩＣタグとの無線通信を実行させ、ＩＣタグ読取装置１００から入力されるＩＣタグのＩＤコードをもとに、金融物品管理情報１５２ａを更新する。
【００３６】
金庫位置情報１５２ｂには、ＧＰＳ１３０から入力された金庫１０の現在位置情報が格納される。金庫制御装置１５０は、例えば、所定の時間間隔でＧＰＳ１３０に金庫１０の現在位置検出処理を実行させ、ＧＰＳ１３０から入力された金庫１０の現在位置情報をもとに金庫位置情報１５２ｂを更新する。より詳細には、金庫制御装置１５０は、金庫位置情報１５２ｂを更新する前に、ＧＰＳ１３０から入力された現在位置情報と、当該時点で金庫位置情報１５２ｂに格納されている現在位置情報とを比較する処理を行う。この際、金庫１０が所定の閾値以上移動されたと判断した場合には、金庫制御装置１５０は、金融物品管理情報１５２ａとともに金庫１０が移動された旨の移動信号を金庫管理サーバ３０に送信し、金庫１０の異常を通知する処理を行う。
【００３７】
通信装置１６０は、通信回線Ｎを介して接続される外部機器（本実施形態では金庫管理サーバ３０）と所定の情報を送受するための装置であり、外部機器との通信を行うための制御を行う。金庫１０は、この通信装置１６０及び通信回線Ｎを介して、保管装置管理サーバとしての金庫管理サーバ３０と接続されている。ここで、通信回線Ｎとは、データ授受が可能な通信路を意味する。すなわち、通信回線Ｎとは、直接接続のための専用線（専用ケーブル）やイーサネット（登録商標）等によるＬＡＮの他、電話通信網やケーブル網、インターネット等の通信網を含む意味であり、通信方法については有線／無線を問わない。
【００３８】
図５は、金庫管理サーバ３０の主要機能ブロックの構成例を示す図である。金庫管理サーバ３０は、公知のサーバコンピュータシステムをもとに構成されており、ＣＰＵ等の制御装置３１、通信回線Ｎに接続するための通信装置３３、及びハードディスク等の記憶装置３５を備えて構成されている。
【００３９】
この金庫管理サーバ３０は、通信装置３３を介して金融システム５０との通信接続が可能である。金融システム５０は、例えば、金融物品を取り扱う金融機関により運用されるものであり、当該金融システム５０を特定するための金融システムコードが固有に割り当てられている。本実施の形態では、金融システム５０として、各種金融機関によりそれぞれ運用される複数の金融システムを包括して図示・説明する。
【００４０】
また、金庫管理サーバ３０が備える記憶装置３５には、前述の金融システム５０を特定するための金融システム管理テーブル３５ａが記憶されている。
【００４１】
図６は、金融システム管理テーブル３５ａの一例を示す図である。図６に示すように、金融システム管理テーブル３５ａには、金融システムコードと、当該金融システムコードが割り当てられた金融システムとが対応付けられて設定されている。金庫管理サーバ３０において、制御装置３１は、金庫１０から金融物品管理情報及び移動信号が送信されて、金庫１０の異常が通知された場合に、送信された金融物品管理情報を構成するＩＤコードをもとに金融システムを特定し、特定した金融システムに対して、該当するＩＤコードを無効化依頼信号とともに送信して異常を報知する処理を行う。
【００４２】
［処理の流れ］
次に、本実施形態における金庫１０の金庫制御装置１５０及び金庫管理サーバ３０の制御装置３１の処理の流れについて説明する。
【００４３】
（金融物品管理処理）
図７は、金融物品管理処理に係る金庫制御装置１５０の処理の一例を示すフローチャートである。この金融物品管理処理において、金庫制御装置１５０は、施錠／解錠装置１１０の動作を制御して金庫１０の施錠状態を設定した場合に（ステップａ１０：ＹＥＳ）、ＩＣタグ読取処理を実行する（ステップａ２０）。具体的には、金庫制御装置１５０は、ＩＣタグ読取装置１００の動作を制御して金庫１０内のＩＣタグ９０との無線通信を実行させる。
【００４４】
そして、金庫制御装置１５０は、ＩＣタグ読取装置１００から入力されたＩＤコードをもとに金融物品管理情報１５２ａを更新し（ステップａ３０）、本処理を終了する。
【００４５】
（金庫位置監視処理）
図８は、金庫位置監視処理に係る金庫１０の金庫制御装置１５０の処理の一例を示すフローチャートである。金庫制御装置１５０は、例えば、以下説明する金庫位置監視処理を、所定の時間間隔（例えば、１０分）で実行する。
【００４６】
すなわち、金庫制御装置１５０は、先ず、ＧＰＳ１３０の動作を制御して、金庫１０の現在位置を検出する（ステップｂ１０）。そして、金庫制御装置１５０は、ＧＰＳ１３０から入力された現在位置情報と、当該時点で金庫位置情報１５２ｂに格納されている前回の金庫１０の現在位置情報とを比較し、金庫１０の位置の移動量が所定の閾値以上の場合には（ステップｂ２０：ＹＥＳ）、金融物品管理情報１５２ａとともに金庫１０が移動された旨の移動信号を金庫管理サーバ３０に送信し、金庫１０の異常を通知する処理を行い（ステップｂ３０）、本処理を終了する。ここで、前記所定の閾値は、例えば、当該金庫１０が設置された建物の敷地面積等に応じて設定する等、適宜変更してよい。
【００４７】
また、金庫制御装置１５０は、金庫１０の位置の移動量が前記所定の閾値未満の場合には（ステップｂ２０：ＮＯ）、ステップｂ１０の処理によりＧＰＳ１３０から入力された現在位置情報をもとに金庫位置情報１５２ｂを更新し（ステップｂ４０）、本処理を終了する。
【００４８】
（金庫管理処理）
図９は、金庫管理処理に係る制御装置３１の処理の一例を示すフローチャートである。図９に示すように、制御装置３１は、金庫１０から金融物品管理情報とともに移動信号が送信され、金庫１０の異常が通知された場合には（ステップｃ１０：ＹＥＳ）、送信された金融物品管理情報に設定されているＩＤコードを順次読み出して、金融システムコードを判定する（ステップｃ２０）。続いて、制御装置３１は、金融システム管理テーブル３５ａをもとに、判定された金融システムコードに対応する金融システムを特定し、当該金融システムに、無効化依頼信号とともにＩＤコードを送信して異常を通報し（ステップｃ３０）、本処理を終了する。
【００４９】
金庫管理サーバ３０からＩＤコードが送信されて異常が通報された金融システムでは、例えば、ＩＤコードの金融物品コードをもとに金融物品を特定し、特定された金融物品を無効化する手続きを行う。
【００５０】
以上説明したように、本実施形態によれば、金庫１０の内部に収納された金融物品を、そのＩＤコードにより管理することができる。また、金庫１０の現在位置が所定の閾値以上移動した場合には、金庫１０の内部に収納されている金融物品のＩＣタグ９０のＩＤコードが設定された金融物品管理情報３５ａとともに金庫１０が移動された旨の信号を金庫管理サーバ３０に送信し、金庫１０の異常を通知することができる。
【００５１】
また、金庫管理サーバ３０は、金庫１０から金融物品管理情報及び移動信号が送信されて、金庫１０の異常が通知された場合には、送信された金融物品管理情報を構成するＩＤコードをもとに金融システムを特定し、特定した金融システムに対して、該当するＩＤコードを無効化依頼信号とともに送信して異常を報知することができる。無効化依頼信号とともに金融システム５０に送信されたＩＤコードのＩＣタグ９０が貼付又は含有された金融物品の不正使用を防止することが可能となり、金庫１０の盗難に対して迅速に対応することができる。
【００５２】
以上、本発明についての好適な実施形態について説明したが、本発明は、上記したものに限らず、発明の趣旨を逸脱しない限りにおいて適宜変更可能である。
【００５３】
例えば、上記した実施形態では、ＧＰＳ１３０により金庫１０の移動を監視することとしたが、金庫１０を、加速度計を備えた構成とし、金庫１０の変位を検出することで移動を監視することとしてもよい。
【００５４】
また、上記した実施形態では、金庫１０の内部に収納された金融物品のＩＣタグ９０のＩＤコードが設定された金融物品管理情報１５２ａを、金庫１０側で管理することとしたが、この金融物品管理情報１５２ａを金庫管理サーバ３０側で管理することとしてもよい。
【００５５】
この場合には、金庫１０の金庫制御装置１５０は以下のように動作する。すなわち、金庫制御装置１５０は、金庫１０の施錠状態を設定した後に、ＩＣタグ読取装置１００に読み取らせたＩＤコードが設定された金融物品管理情報１５２ａを、通信回線Ｎを介して金庫管理サーバ３０に送信する。また、金庫制御装置１５０は、ＧＰＳ１３０から入力された現在位置情報と、当該時点で金庫位置情報１５２ｂに格納されている前回の金庫１０の現在位置情報とを比較し、金庫１０の位置の移動量が所定の閾値以上の場合には、金庫１０が移動された旨の移動信号を金庫管理サーバ３０に送信し、金庫１０の異常を通知する。
【００５６】
一方、金庫管理サーバ３０では、制御装置３１は、金庫１０から送信された金融物品管理情報を、当該金庫１０の識別情報と対応付けて管理する。そして、制御装置３１は、金庫１０から移動信号を受信した場合には、当該金庫１０の識別情報に基づいて該当する金融物品管理情報を読み出す。そして、制御装置３１は、読み出した金融物品管理情報に設定されているＩＤコードをもとに金融システムコードを判定し、対応する金融システムに無効化依頼信号とともにＩＤコードを送信して異常を通報する処理を行う。
【００５７】
また、上記した実施形態では、金庫１０の移動を金庫１０が判断することとしたが、金庫管理サーバ３０が金庫１０に現在位置を問い合わせることにより、金庫管理サーバ３０が金庫１０の移動を判断することとしてもよい。この場合には、例えば、金庫１０の通信装置１６０をＰＨＳ（Personal Handyphone System）とし、金庫管理サーバ３０側が位置情報を提供する既存の無線通信網／無線電話網システムと連携して、当該金庫１０が移動しているか否かを判断することとしてもよい。
【００５８】
また、金庫管理サーバ３０が金庫１０に現在位置を問い合わせる際に、ワンタイムパスワードを発行して、金庫１０に送信することとしてもよい。金庫１０には、予め複数のワンタイムパスワードが設定されており、金庫管理サーバ３０からの問い合わせに応じて使用される。このワンタイムパスワードの技術は、公知の技術であるため、ここでの説明は省略する。
【００５９】
また、上記した実施形態では、所有者の状況に係わらず、金庫制御装置１５０は、認証装置１２０により指紋及び虹彩が認証・照合されて、金庫１０の所有者本人を認証した場合に、金庫１０を解錠状態とする。従って、所有者が脅迫されている状況であっても解錠することとなる。このため、脅迫にあって解錠したことを異常と判断し、金融物品管理情報１５２ａを金庫管理サーバ３０に送信して異常を通知する処理を行うこととしてもよい。具体的には、認証装置１２０による認証・照合の順番として先に虹彩、次に指紋を行う場合を通常として予め設定しておき、この順番が逆であった場合に異常と判断する。但し、解錠は行う。このように構成することで、脅迫にあって解錠し、金融物品が盗難された場合であっても、その盗用を防止することができる。
【図面の簡単な説明】
【００６０】
【図１】本発明を適用した金庫の概観を示す斜視図。
【図２】金庫の主要機能ブロックの構成例を示す図。
【図３】ＩＤコードの一例を示す図。
【図４】金融物品管理テーブルの一例を示す図。
【図５】金庫管理サーバの主要機能ブロックの構成例を示す図。
【図６】金融システム管理テーブルの一例を示す図。
【図７】金融物品管理処理の一例を示すフローチャート。
【図８】金庫位置監視処理の一例を示すフローチャート。
【図９】金庫管理処理の一例を示すフローチャート。
【符号の説明】
【００６１】
１０                    金庫
１００                ＩＣタグ読取装置
１１０                施錠／開錠装置
１２０                認証装置
１２２              ＲＯＭ
１３０                ＧＰＳ
１４０                ＵＰＳ
１５０                金庫制御装置
１５２              フラッシュメモリ
１５２ａ          金庫位置情報
１５２ｂ          金融物品管理テーブル
１６０                通信装置
３０                    金庫管理サーバ
３１                  制御装置
３３                  通信装置
３５                  記憶装置
３５ａ              金融システム管理テーブル
５０                    金融システム
Ｎ                      通信回線
７０（７０−１〜４）    金融物品札
９０（９０−１〜４）    ＩＣタグ
【図１】
2005146646.tif 000003
【図２】
2005146646.tif 000004
【図３】
2005146646.tif 000005
【図４】
2005146646.tif 000006
【図５】
2005146646.tif 000007
【図６】
2005146646.tif 000008
【図７】
2005146646.tif 000009
【図８】
2005146646.tif 000010
【図９】
2005146646.tif 000011